(57)【要約】      （修正有）【課題】ベッドマットや敷き布団が一対のサイドレールの間に収まる幅であれば、床板上に載置したベッドマットや敷き布団がベッドフレームからずり下がるおそれのないベッドフレームを提供する。【解決手段】ベッドフレームＡは、一対のサイドレール３、４と該サイドレールに支承される床板７とを備え、サイドレールは、その内側に床板を支承するための支持部５、６を有していて、該支持部の支持位置において床板を支承し、支持部は、その支持位置をサイドレールに対し上下に変位させる高さ調節機構であって、支持部を二つ折れ可能な２段構造とした構成よりなる高さ調節機構を有していて、該支持位置を上下に変位させることにより床板の高さを上下に変位させることができるものである。【選択図】図４
0003118391.tif 000002
【実用新案登録請求の範囲】
【請求項１】
一対のサイドレールと該サイドレールに支承される床板とを備え、
前記サイドレールは、その内側に床板を支承するための支持部を有していて、該支持部の支持位置において床板を支承し、
前記支持部は、その支持位置をサイドレールに対し上下に変位させる高さ調節機構を有していて、該支持位置を上下に変位させることにより床板の高さを上下に変位させることができ、
該支持位置が上位にあるときは、その支持位置に床板を載置すると床板上面がサイドレールの頂面と面一になり、
該支持位置が下位にあるときは、その支持位置に床板を載置すると床板上面がサイドレールの頂面より下方に位置する、
ことを特徴とするベッドフレーム。
【請求項２】
高さ調節機構が、支持部を二つ折れ可能な２段構造とした構成よりなることを特徴とする請求項１に記載のベッドフレーム。
【請求項３】
高さ調節機構が、支持部の上部を分離除去可能な構造とした構成よりなることを特徴とする請求項１に記載のベッドフレーム。
【請求項４】
高さ調節機構が、支持部自体を上下させて変位する構成としたことを特徴とする請求項１に記載のベッドフレーム。
【考案の詳細な説明】
【技術分野】
【０００１】
本考案は、ベッドマットや敷き布団を載置して使用する床板付きのベッドフレームに関し、特に、ベッドマットや敷き布団を載置する床板が上下に変位するベッドフレームに関する。
【背景技術】
【０００２】
従来より、ベッドマットや敷き布団を載置して使用する床板付きのベッドフレームが使用されているが、この従来のベッドフレームは床板上面がサイドレールの頂面と一致するように設計されている。
【考案の開示】
【考案が解決しようとする課題】
【０００３】
しかしながら、上記のようなベッドフレームにおいては、床板上面とサイドレールの頂面とが一致するので、床板上に載置したベッドマットや敷き布団がずれ動いてベッドフレームからずり下がるおそれがあった。
【０００４】
そこで、本考案者は、ベッドマットや敷き布団が一対のサイドレールの間に収まる幅であれば、床板上に載置したベッドマットや敷き布団がベッドフレームからずり下がるおそれのないベッドフレームを開発した。
【課題を解決するための手段】
【０００５】
本考案に係るベッドフレームは、一対のサイドレールと該サイドレールに支承される床板とを備え、前記サイドレールは、その内側に床板を支承するための支持部を有していて、該支持部の支持位置において床板を支承し、前記支持部は、その支持位置をサイドレールに対し上下に変位させる高さ調節機構を有していて、該支持位置を上下に変位させることにより床板の高さを上下に変位させることができ、該支持位置が上位にあるときは、その支持位置に床板を載置すると床板上面がサイドレールの頂面と面一になり、該支持位置が下位にあるときは、その支持位置に床板を載置すると床板上面がサイドレールの頂面より下方に位置することを特徴とするものである。
【０００６】
なお、上記の高さ調節機構が、支持部を二つ折れ可能な２段構造とした構成としてもよい。
【０００７】
また、上記の高さ調節機構が、支持部の上部を分離除去可能な構造とした構成としてもよい。
【０００８】
さらに、上記の高さ調節機構が、支持部自体を上下させて変位する構成としてもよい。
【考案の効果】
【０００９】
上記のように、ベッドフレームを構成したことにより、床板上面をサイドレールの頂面より下方に位置させることができるので、ベッドマットや敷き布団が一対のサイドレールの間に収まる幅であれば、床板上に載置したベッドマットや敷き布団が、サイドレールを側壁とする床板上にスッポリ収まるため、ベッドフレームからベッドマットや敷き布団がずり下がるおそれがない。
【考案を実施するための最良の形態】
【００１０】
以下に、本考案の好適な実施例を図面に基づいて詳細に説明する。
【実施例１】
【００１１】
図１〜図６は、本考案の実施例に係るベッドフレームを示し、図１は床板が上位にある状態を示すベッドフレームの斜視図であり、図２は床板が下位にある状態を示すベッドフレームの斜視図であり、図３はベッドフレームの分解斜視図であり、図４はサイドレールを内側から見た側面図であり、図５は床板を上位に位置させた状態を示すサイドフレームの部分拡大断面図であり、図６は床板を下位に位置させた状態を示すサイドフレームの部分拡大断面図である。
【００１２】
図１〜図３において、Ａは本実施例に係るベッドフレームであって、１は使用における身体の頭部側に垂直に起立するヘッドボードであり、２は使用における身体の足部側に垂直に起立するフットボードである。これらのヘッドボード１及びフットボード２は、図３に示すように一対の左右対称のサイドレール３、４をもって公知の係合手段により架け渡すように連結して組み立てられる。これにより、図１、２に示すようにベッドフレームＡ全体の起立状態が維持される。前記サイドレール３、４は、後述するようにそれぞれ支持部５、６を備えていて、該支持部５、６の上下変位可能な支持位置５ａ、６ａにより簀の子状の床板７を支承できるようになっており、図１は床板７が上位にある状態を示し、図２は床板７が下位にある状態を示す。
【００１３】
前記サイドレール３、４は、図４に示すように、それぞれその内側に、前記床板７を支承する長尺状の支持部５、６が設けられており、サイドレール３、４のそれぞれの上端には、外方に突出した鍔部８が形成されている。前記支持部５、６は、高さ調節機構として、その上部５ｂ、６ｂが蝶番９による結合により、ベッドフレームＡの内方側に二つ折れできるように構成されており、図５に示す支持部５、６を二つ折りしない場合の支持位置５ａ、６ａと、図６に示す支持部５、６を二つ折りした場合の支持位置５ａ、６ａとの２段階に高さが調節できるようになっている。そして、支持部５、６を二つ折りしない場合の支持位置５ａ、６ａは、図５に示すように、当該支持位置５ａ、６ａに床板７を載置したときに床板７の上面７ａが前記の鍔部８の上面８ａと面一になるように設計されている。また、図６に示す支持部５、６を二つ折りした場合の支持位置５ａ、６ａは、図５に示す支持部５、６を二つ折りしない場合の支持位置５ａ、６ａよりも低くなるため、当該支持位置５ａ、６ａに床板７を載置したときには床板７の上面７ａがサイドレール３、４の鍔部８の上面８ａより下方に位置するようになる。このように本実施例に係るベッドフレームＡは、床板７が支持部５、６の二つ折れする上部５ｂ、６ｂの高さ分だけ下方に降下する仕組みになっている。したがって、その床板７が降下した状態において、該床板７上にベッドマットや敷き布団を敷いた場合に、これらベッドマットや敷き布団がサイドレール３、４間の間隔よりも幅が狭いときには、これらベッドマットや敷き布団がサイドレール３、４を側壁とする区画内にスッポリと収まる収まることになる。
【００１４】
以上のように、本実施例に係るベッドフレームＡは、床板７の上面７ａをサイドレール３、４の頂面である鍔部８の上面８ａより下方に位置させることができるので、ベッドマットや敷き布団が一対のサイドレールの間に収まる幅であれば、床板上に載置したベッドマットや敷き布団が、サイドレール３、４を側壁とする床板上にスッポリ収まるため、ベッドフレームＡからベッドマットや敷き布団がずり下がるおそれがない。
【００１５】
なお、本考案に係るベッドフレームの実施例は、上記のしたものに限られるものではなく、実用新案登録請求の範囲に記載された広範囲の技術を包含するものである。例えば、上記の高さ調節機構として、支持部の上部を分離除去可能な構造とした構成を採用してもよく、また、支持部自体を上下させて変位する構成としてもよい。
【図面の簡単な説明】
【００１６】
【図１】図１は床板が上位にある状態を示すベッドフレームの斜視図である。
【図２】床板が下位にある状態を示すベッドフレームの斜視図である。
【図３】ベッドフレームの分解斜視図である。
【図４】サイドレールを内側から見た側面図である。
【図５】床板を上位に位置させた状態を示すサイドフレームの部分拡大断面図である。
【図６】床板を下位に位置させた状態を示すサイドフレームの部分拡大断面図である。
【符号の説明】
【００１７】
Ａ・・・ベッドフレーム
１・・・ヘッドボード
２・・・フットボード
３・・・サイドレール
４・・・サイドレール
５・・・サイドレール３の支持部
５ａ・・支持部５の支持位置
５ｂ・・支持部５の二つ折れする上部
６・・・サイドレール４の支持部
６ａ・・支持部６の支持位置
６ｂ・・支持部６の二つ折れする上部
７・・・床板
７ａ・・床板の上面
８・・・鍔部
８ａ・・鍔部の上面
９・・・蝶番
【図１】
0003118391.tif 000003
【図２】
0003118391.tif 000004
【図３】
0003118391.tif 000005
【図４】
0003118391.tif 000006
【図５】
0003118391.tif 000007
【図６】
0003118391.tif 000008